(57)【要約】【課題】  プレゼンテーション中に強調する度合いを変更することが可能な仕組みを提供することである。【解決手段】    プレゼンテーション資料中の表示オブジェクトの表示属性を変更する表示オブジェクトを特定し、プレゼンテーション実施時にユーザの指示を受け付けて、受け付けた指示が、表示属性を変更する表示オブジェクトへの指示の場合、表示オブジェクトの表示属性を段階的に変更してプレゼンテーション資料として表示制御するプレゼンテーション資料を表示制御することを特徴とする。【選択図】  図１
2015064457.tif 000002
【特許請求の範囲】
【請求項１】
プレゼンテーション資料中の表示オブジェクトの表示属性を変更する表示属性変更手段と、
前記表示属性変更手段により表示属性を変更する表示オブジェクトを特定する属性変更オブジェクト特定手段と、
プレゼンテーション実施の際にユーザの指示を受け付ける指示受付手段と、
前記表示属性変更手段は、前記指示受付手段を受け付けた指示が、前記属性変更オブジェクト特定手段により特定された表示オブジェクトへの指示の場合、該表示オブジェクトの表示属性を段階的に変更し、
前記指示受付手段で指示を受け付けた表示オブジェクトの表示属性を段階的に変更してプレゼンテーション資料として表示制御するプレゼンテーション資料表示制御手段と、
を有することを特徴とするプレゼンテーションシステム。
【請求項２】
前記属性変更オブジェクト特定手段は、前記表示オブジェクトの表示属性が特殊な属性の場合に、表示属性を変更する表示オブジェクトとして特定することを特徴とする請求項１に記載のプレゼンテーションシステム。
【請求項３】
プレゼンテーション実施の際に音声を入力する音声入力手段を有するプレゼンテーションシステムにおいて、
前記音声入力手段から入力された音声を言葉として識別する音声識別手段と、
前記音声識別手段で識別された言葉と対応するプレゼンテーション資料の表示オブジェクトに関する言葉を記憶する音声対応オブジェクト記憶手段と、
前記音声対応オブジェクト記憶手段で記憶されたプレゼンテーション資料の表示オブジェクトに対応する言葉と、前記音声識別手段で識別された言葉とが一致することを確認する音声・オブジェクト一致確認手段と、
前記指示受付手段は、前記音声・オブジェクト一致確認手段により、前記表示オブジェクトに対応する言葉と、前記音声識別手段で識別された言葉とが一致する場合に該表示オブジェクトが指示を受け付けることを特徴とする請求項１または２に記載のプレゼンテーションシステム。
【請求項４】
前記音声対応オブジェクト記憶手段は、前記プレゼンテーション資料の表示オブジェクトに対応する言葉の類義語リストを有しており、
前記音声・オブジェクト一致確認手段は、前記音声識別手段で識別された言葉と、前記音声対応オブジェクト記憶手段に記憶された類義語リストに存在する言葉と一致することを特徴とする請求項３に記載のプレゼンテーションシステム。
【請求項５】
前記属性変更オブジェクト特定手段は、他のオブジェクトと異なる属性を持つ表示オブジェクトを特定することを特徴とする請求項１乃至４に記載のプレゼンテーションシステム。
【請求項６】
前記属性変更オブジェクト特定手段は、前記表示オブジェクトが文字オブジェクトの場合、文字属性が太字、または下線、または斜体、または周辺の文字属性より大きい文字属性の内少なくとも１つを有する表示オブジェクトを特定することを特徴とする請求項１乃至５に記載のプレゼンテーションシステム。
【請求項７】
前記属性変更オブジェクト特定手段で特定される前記表示オブジェクトは、前記音声・オブジェクト一致確認手段により一致が確認された回数をカウントする発声カウントリストを有し、
前記発声カウントリストは、前記音声・オブジェクト一致確認手段により一致が確認された回数の上限を有し、
前記発声カウントリストの上限を越える場合は、前記表示属性変更手段による表示オブジェクトの表示属性を変更しないことを特徴とする請求項３または４に記載のプレゼンテーションシステム。
【請求項８】
プレゼンテーション資料中の表示オブジェクトの表示属性を変更する表示属性変更工程と、
前記表示属性変更工程により表示属性を変更する表示オブジェクトを特定する属性変更オブジェクト特定工程と、
プレゼンテーション実施の際にユーザの指示を受け付ける指示受付工程と、
前記表示属性変更工程は、前記指示受付工程を受け付けた指示が、前記属性変更オブジェクト特定工程により特定された表示オブジェクトへの指示の場合、該表示オブジェクトの表示属性を段階的に変更し、
前記指示受付工程で指示を受け付けた表示オブジェクトの表示属性を段階的に変更してプレゼンテーション資料として表示制御するプレゼンテーション資料表示制御工程と、
を有することを特徴とするプレゼンテーション方法。
【請求項９】
プレゼンテーション資料中の表示オブジェクトの表示属性を変更する表示属性変更手段と、
前記表示属性変更手段により表示属性を変更する表示オブジェクトを特定する属性変更オブジェクト特定手段と、
プレゼンテーション実施の際にユーザの指示を受け付ける指示受付手段と、
前記表示属性変更手段は、前記指示受付手段を受け付けた指示が、前記属性変更オブジェクト特定手段により特定された表示オブジェクトへの指示の場合、該表示オブジェクトの表示属性を段階的に変更し、
前記指示受付手段で指示を受け付けた表示オブジェクトの表示属性を段階的に変更してプレゼンテーション資料として表示制御するプレゼンテーション資料表示制御手段と、
を有することを特徴とするプレゼンテーションシステムを実行させるプログラム。
【発明の詳細な説明】
【技術分野】
【０００１】
本発明は、プレゼンテーションの際にプレゼンターの支援を行うプレゼンテーション支援装置に関する。
【背景技術】
【０００２】
近年、プレゼンテーションは発表資料をプロジェクタで投影し、情報処理装置で発表資料を操作する形態が一般的になっている。発表を強調する手法としては、発表資料において強調したい箇所をあらかじめ色を変えたり、文字を大きくしたりするなどして強調する方法や操作によってアニメーションさせることにより強調する方法などがある。
【０００３】
特許文献１には、発表者の音声に応じて発表資料を強調するプレゼンテーションシステムについて記載している。
【先行技術文献】
【特許文献】
【０００４】
【特許文献１】特開２００２−２３７１６号公報
【発明の概要】
【発明が解決しようとする課題】
【０００５】
上記特許文献１のシステムでは、発表者の動作、音声より強調していると判断された場合は、あらかじめ設定されていた強調表現（文字、画像をフラッシュ、色を変化、ボリュームを変更、照明、ＢＧＭを変更）が実施される。あるいは音声と一致した発表資料中の文字が強調表示（フラッシュ表示、明度を上げる、特定色で表示）を実施する。
【０００６】
しかしながら、特許文献１のシステムでは、発表中に強調箇所をより強調したいと考えた場合においても、強調の度合いを発表中に変更することができない。
【０００７】
そこで、本発明の目的は、プレゼンテーション中に強調する度合いを変更することが可能な仕組みを提供することである。
【課題を解決するための手段】
【０００８】
上記した目的を達成するために、プレゼンテーション資料中の表示オブジェクトの表示属性を変更する表示属性変更手段と、前記表示属性変更手段により表示属性を変更する表示オブジェクトを特定する属性変更オブジェクト特定手段と、プレゼンテーション実施時にユーザの指示を受け付ける指示受付手段と、前記表示属性変更手段は、前記指示受付手段を受け付けた指示が、前記属性変更オブジェクト特定手段により特定された表示オブジェクトへの指示の場合、該表示オブジェクトの表示属性を段階的に変更し、前記指示受付手段で指示を受け付けた表示オブジェクトの表示属性を段階的に変更してプレゼンテーション資料として表示制御するプレゼンテーション資料表示制御手段と、を有することを特徴とする。
【発明の効果】
【０００９】
本発明によれば、プレゼンテーション中に強調する度合いを変更することが可能な仕組みを提供する効果を有する。
【図面の簡単な説明】
【００１０】
【図１】本発明の実施の形態に係るプレゼンテーションシステムのシステム構成の一例を示す模式図である。
【図２】図１の情報処理装置２００に適用可能なコンピュータのハードウェア構成の一例を示す図である。
【図３】本発明の実施の形態に係るプレゼンテーションシステムのソフトウェア構成の一例を示す図である。
【図４】情報処理装置２００のＣＰＵ２０１によって行われる、プレゼンテーション支援処理の流れを示すフローチャートの一例である。
【図５】情報処理装置２００のＣＰＵ２０１によって行われる、プレゼンテーション支援処理の流れを示すフローチャートの一例である。
【図６】情報処理装置２００のＣＰＵ２０１によって行われる、プレゼンテーション支援処理の流れを示すフローチャートの一例である。
【図７】本願発明におけるプレゼンテーション資料の構成と、各構成ページ毎の最大強調度の設定値を記憶したデータ（プレゼンテーション構成強調度配分データ）の一例である。
【図８】本願発明における強調する文字を決定する文字属性・ページ内の構成、及び文字属性・ページ内の構成毎の最大強調度の設定を示すデータの一例である。
【図９】本願発明の説明で利用する類義語辞書の一部分を抜き出した一例である。
【図１０】本願発明におけるプレゼンテーション資料に紐付く発声回数カウントリストの一例である。
【図１１】本願発明におけるプレゼンテーション資料に紐付く連想単語リストの一例である。
【図１２】本願発明におけるプレゼンテーション資料の最大強調度とプレゼンテーション資料及びプレゼンテーションページ内の文字や画像毎の強調度を示す模式図である。
【図１３】本願発明におけるプレゼンテーション資料の表示処理の結果を示す模式図である。
【図１４】本願発明におけるプレゼンテーション資料の表示処理の結果を示す模式図である。
【発明を実施するための形態】
【００１１】
以下、図面を参照して、本発明の実施の形態の一例を説明する。
【００１２】
図１は、本発明の実施の形態に係るプレゼンテーションシステムのシステム構成の一例を示す模式図である。
【００１３】
図１に示す通り、本願発明の実施の形態におけるプレゼンテーションシステムは、マイク１００、情報処理装置２００、プロジェクタ３００、スクリーン４００を備えて構成されている。
【００１４】
プロジェクタ３００は、情報処理装置２００から送信された投影画像をスクリーン４００に投影する装置であり、マイク１００は、プレゼンターの発表の声を集音する。
【００１５】
情報処理装置２００は、プロジェクタ３００に投影する画像を送信し、また、マイク１００から集音された音声を解析して、プレゼンターの発声より、投影画像の強調する文字や画像の部分を特定し、特定した文字や画像を強調表示する。
【００１６】
次に、図２を参照して、図１の情報処理装置２００に適用可能な情報処理装置のハードウェア構成の一例について説明する。
【００１７】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、情報処理装置２００が実行する機能を実現するために必要な後述する各種プログラム等が記憶されている。
【００１８】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００１９】
また、２０５は入力コントローラで、キーボードやポインティングデバイス等の入力装置２０９からの入力を制御する。２０６はビデオコントローラで、ディスプレイ装置２１０等の表示器への表示を制御する。これらは必要に応じて操作者が使用するものである。
【００２０】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２１】
２０８は通信Ｉ／Ｆ（インタフェース）コントローラで、ネットワーク（例えば、図１に示したＬＡＮ１０３）を介して外部機器と接続・通信するものであり、ネットワークでの通信制御処理を実行する。例えば、ＴＣＰ／ＩＰを用いた通信等が可能である。
【００２２】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２３】
本発明を実現するための後述するフローチャートに示す各ステップの処理は、コンピュータで読み取り実行可能なプログラムにより実行され、そのプログラムは外部メモリ２１１に記録されている。そして、必要に応じてＲＡＭ２０２にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２４】
次に、図３を参照して、本発明の実施の形態に係るプレゼンテーションシステムのソフトウェア構成の一例について説明する。なお、図面間で同じ機能を有する構成に関しては、同じ符号を付けている。
【００２５】
図３の情報処理装置２００は、プレゼンテーション資料解析部３０１を有しており、プレゼンテーション資料解析部３０１は、プレゼンテーション資料ＤＢ３１０からプレゼンテーション資料を取得し、プレゼンテーション資料の文字属性などを解析する。
【００２６】
また、情報処理装置２００は、属性変更オブジェクト特定部３０４を有しており、属性変更オブジェクト特定部３０４は、図示しないプレゼンテーション構成入力受付部から受け付けるプレゼンテーション資料の構成とプレゼンテーション構成強調度データ３１２とから抽出される最大強調度と、プレゼンテーション資料解析部３０１で解析された文字属性などとを加味し、強調する文字情報・画像情報を特定する。
【００２７】
また、情報処理装置２００は、類義語リスト作成部３０８を有し、類義語リスト作成部３０８は、ユーザの発言の曖昧さ（「参議院議員通常選挙」を「参議院選挙」と呼んだり「参院選」と呼んだりする曖昧さ）を包含するための類義語リストを生成する。類義語リストは、プレゼンテーション資料ＤＢ３１０から取得したプレゼンテーション資料の中の属性変更オブジェクト特定部により特定された言葉の類義語を類義語辞書３１１から取得して、リスト化し作成する。
【００２８】
また、情報処理装置２００は、音声識別部３０２を有しており、音声識別部３０２は、マイク１００から取得したプレゼンター等からの発声を言葉として認識する。その言葉が、次の音声・オブジェクト一致確認部３０５により一致しているかどうかを確認する。
【００２９】
情報処理装置２００は音声・オブジェクト一致確認部３０５を有しており、音声・オブジェクト一致確認部３０５は、音声識別部３０２により認識された音声の言葉と、属性変更オブジェクト特定部３０４により特定された言葉およびその類義語リストに登録された言葉とが一致するかを確認する。音声識別部３０２により認識された音声の言葉と、属性変更オブジェクト特定部３０４により特定された言葉およびその類義語リストに登録された言葉とが一致する場合は、次の表示属性変更部３０９の処理を行う。
【００３０】
情報処理装置２００は、表示属性変更部３０９を有しており、表示属性変更部３０９は、音声識別部３０２により認識された音声の言葉と一致した、属性変更オブジェクト特定部３０４により特定された言葉のオブジェクト（文字・画像）の表示属性を変更し、そのオブジェクトを強調表示する。以下の実施例では、文字サイズや画像サイズを大きくすることにより強調表示している。
【００３１】
また、情報処理装置２００は、指示受付部３０６を有しており、指示受付部３０６は、ユーザから、属性変更オブジェクト特定部３０４で特定されたプレゼンテーション資料上でマウスクリックなどの指示を受け付けると、該当するオブジェクトの表示属性を変更することにより、表示属性を変更し強調表示を行う。
【００３２】
また、情報処理装置２００は、発声カウントリスト３１３を有しており、ユーザがある程度の属性変更オブジェクト特定部３０４により特定された言葉を発声すると、それ以上はオブジェクトを強調しないようにしても良い。
【００３３】
これらの処理を実施後、情報処理装置２００は、プレゼンテーション資料表示制御部３０３により、プレゼンテーション資料をプロジェクタ３００に投影する処理を行う。
【００３４】
以上の処理により、プレゼンテーション中に強調する度合いを変更することが可能な仕組みを提供することができる。
【００３５】
次に、図４を参照して、本願発明におけるプレゼンテーションシステムの処理の流れを説明する。
【００３６】
図４は、情報処理装置２００のＣＰＵ２０１によって行われる、プレゼンテーションシステムの処理を示すフローチャートの一例である。この処理は、情報処理装置２００のＣＰＵ２０１が、発表資料を外部メモリ２１１などから取得して、プレゼンテーションアプリケーションに読み込むと開始される（Ｓ４０１）。
【００３７】
まず、ステップＳ４０１で発表資料を読み込むと、次のステップＳ４０２において、情報処理装置２００のＣＰＵ２０１は、読み込んだ発表資料を解析し、プレゼンターの発声により強調する文字や画像を特定する。また、特定した文字・画像（表示オブジェクト）を強調する強調度の上限も設定する。詳細な処理は図５に後述する。
【００３８】
次に、ステップＳ４０３において、情報処理装置２００のＣＰＵ２０１は、プレゼンテーション開始入力（プレゼンテーション実施）を受け付ける。この処理は、ユーザが発表資料をプレゼンテーション形式で開始し、１ページ目を表示する処理に相当する。
【００３９】
プレゼンテーションが開始されると、次のステップＳ４０４において、情報処理装置２００のＣＰＵ２０１は、マイク１００などからプレゼンターの発話音声を集音・もしくはマウスによるポインティング操作等を取得する。
【００４０】
取得した音声は音声認識手段により、たとえば日本語や英語などの単語や文章として解析される。なお、音声認識の手法には、統計的手法や隠れマルコフモデルなどがあるがどれを用いてもよい。なお、それぞれの手法の説明については本発明の本質ではないため省略する。
【００４１】
次に、ステップＳ４０５において、情報処理装置２００のＣＰＵ２０１は、ステップＳ４０４で解析した日本語や英語などの単語や文章を取得し、その言葉と関連付けられたプレゼンテーション資料上の文字や画像を強調表示する。また、マウスによるポインティング操作の場合は、プレゼンテーション資料中の文字部分もしくは画像部分をクリックすることにより、該当部分の文字や画像を強調表示する。詳細な処理は図６に後述する。
【００４２】
次に、ステップＳ４０６において、情報処理装置２００のＣＰＵ２０１は、ユーザからページ切替処理を受け付けたかどうかの判断を行う。ページ切替処理を受け付けていない場合は、ステップＳ４０４へと処理を戻し、一方、ページ切替処理を受け付けた場合は、次のステップＳ４０７へと処理を移行する。
【００４３】
次のステップＳ４０７では、情報処理装置２００のＣＰＵ２０１は、プレゼンテーションの資料が最終ページかどうかの判断を行う。最終ページではない場合は、ステップＳ４０８へと処理を移行し、ステップＳ４０８において、プレゼンテーション資料の次のページを表示し、ステップＳ４０４へと処理を移行する。一方、プレゼンテーションの資料が最終ページである場合は、一連の処理を終える。
【００４４】
次に、図５を参照して、プレゼンテーション資料を解析し、プレゼンターの発声により強調する文字・画像（表示オブジェクト）、それらの表示オブジェクトを強調する強調度の上限を設定する処理（ステップＳ４０２）を説明する。
【００４５】
図５は、本願発明における情報処理装置２００のＣＰＵ２０１によって行われる、プレゼンテーション資料の解析処理を示すフローチャートの一例である。この解析処理は、情報処理装置２００のＣＰＵ２０１が、図４のステップＳ４０２の処理に移行した際に開始される。
【００４６】
まず、ステップＳ５０１では、情報処理装置２００のＣＰＵ２０１は、ステップＳ４０１で読み込んだプレゼンテーション資料の構成の入力を受け付ける。プレゼンテーション資料の構成を図７を参照して説明する。
【００４７】
図７は、プレゼンテーション資料の構成と、各構成ページ毎の最大強調度の設定値を記憶したデータ（プレゼンテーション構成強調度配分データ）の例である。たとえば、ＩＤが「００１」の１行目のデータ７０１は、プレゼンテーション資料の構成タイプとしては一般的な「一般１」が選ばれた場合のプレゼンテーション資料の構成であり、最初に「表紙」ページ、次に「目次」ページ、次に「導入」ページが来ている例である。次には「説明」ページへと飛び、最後に「結論」ページとなる例である。
【００４８】
なお、プレゼンテーション資料の構成の入力は、プレゼンテーション資料のタイトルなどを解析して、最も近いと思われる構成を情報処理装置２００のＣＰＵ２０１が自動的に選ぶようにしても良いし、図示しない入力画面よりユーザが構成タイプ７０２を選ぶようにしても良い。図５のフローチャートの説明に戻る。
【００４９】
次に、図５のステップＳ５０２において、プレゼンテーション資料のページ毎の最大強調度を決定する。ページ毎の最大強調度は、たとえばＩＤが「００１」の１行目のデータ７０１の場合は、７０３の欄に記憶されている値が該当値となる。
【００５０】
たとえば、構成タイプ７０２が「一般１」の場合の最大強調度（すなわち、７０１のＩＤ「００１」が選ばれた場合）は、プレゼンテーション資料の「表紙」から「目次」のページに関しては、最大強調度が０（すなわち強調表示はしない）であり、「導入」ページは、最大強調度は７、次の「説明」ページでは最大強調度を７と設定し、最後の「結論」ページは最大強調度を１０と設定している。具体的なプレゼンテーション資料と最大強調度との関係を図１２を参照して説明する。
【００５１】
図１２は、本願発明におけるプレゼンテーション資料の最大強調度とプレゼンテーション資料及びプレゼンテーションページ内の文字や画像毎の強調度を示す図である。
【００５２】
図１２は、図５の構成タイプ７０２が「一般１」の場合の最大強調度を表示した例であり、最も左の列にページ毎の最大強調度が開示されている。なお、真ん中の列にはプレゼンテーション資料の例が開示されている。図５のフローチャートの説明に戻る。
【００５３】
次に、図５のステップＳ５０３において、情報処理装置２００のＣＰＵ２０１は、プレゼンテーション資料の各ページを解析し、各ページ毎に強調表示する文字や画像を決定する。強調表示する文字を決定する処理を図８のデータを参照して説明する。
【００５４】
図８は、本願発明における強調する文字を決定する文字属性・ページ内の構成、及び文字属性・ページ内の構成毎の最大強調度の設定を示すデータの例である。
【００５５】
図８の８００の文字属性やページ内での構成（８０１）を有する文字情報を強調文字（本願発明で段階的に強調させる文字）と特定する。また、最大強調度の度合いをどれだけ高くするかの説明が、説明文として（８０２に）説明されている。
【００５６】
たとえば、プレゼンテーション資料中の太字部分は、１行目（８０３）のように、強調する文字として特定され、最大強調度を２ポイント高くする。同様に、たとえば、プレゼンテーション資料中の下線部分も、強調する文字として特定され、３行目（８０４）のように、最大強調度を１ポイント高くする。
【００５７】
また、プレゼンテーション資料中の文字で、太字且つ下線が引いているような２重で強調文字に該当する属性が付された文字の場合も、強調する文字として特定され、最大強調度のポイントを２＋１で３ポイント高くすることも可能である。
【００５８】
以上のように、プレゼンテーション資料の強調する文字を特定する処理を図８のようなデータに基づいて決定し、文字ごとの最大強調度をも設定する。なお、図８の最大強調度の設定は、周辺の属性と異なる特殊な文字属性であれば、図８にこだわらず、最大強調度をプラスする構成として良い。図５のフローチャートの説明に戻る。
【００５９】
次に、図５のステップＳ５０４において、情報処理装置２００のＣＰＵ２０１は、ステップＳ５０３で決定した文字を用いて、その文字とプレゼンターが発声した音声とが一致するか、もしくは類義語を発声しているかを確認するための類義単語リストを生成する。ステップＳ５０３で決定した文字の類義語の類義単語リストを生成するために、類義語辞書を参照する。類義語辞書の例を図９を参照して説明する。
【００６０】
図９は、本願発明の説明で利用する類義語辞書の一部分を抜き出した例である。
【００６１】
たとえば、「参議院選挙」という言葉（９０１）の同義語として、「参院選」（９０２）や「参議院議員通常選挙」（９０３）があり、それらはお互いに同義語のデータとして記憶されている。同様に「首相」（９０４）や「ＴＰＰ」（９０５）なども、同義語データを有している。
【００６２】
ステップＳ５０３で決定した文字を類義語辞書が有している場合は、その文字に対応する類義語を抽出する。たとえば、プレゼンテーション資料中で「参議院選挙」という文字に太字や下線などの属性が付されている場合は、ステップＳ５０３において「参議院選挙」が強調する文字と決定され、ステップＳ５０４において、「参議院選挙」と同義語の「参院選」と「参議院議員通常選挙」が抽出される。図５のフローチャートの説明に戻る。
【００６３】
次に、図５のステップＳ５０５において、情報処理装置２００のＣＰＵ２０１は、ステップＳ５０４で抽出した同義語辞書のデータを類義単語リストとしてリスト化し、ＲＡＭ２０２や外部メモリ２１１に記憶する。記憶する類義単語リストを図１０を参照して説明する。
【００６４】
図１０は、本願発明におけるプレゼンテーション資料に紐付く発声回数カウントリストの一例を示す模式図である。図１０の１００１から１００３が類義単語リストに該当する。
【００６５】
図１０の１０００の１００１欄は、プレゼンテーション資料中の強調する文字が記載されているページ数であり、１００２には資料中の強調する文字（単語）が記憶されている。すなわち、ステップＳ５０３の段階で、類義単語リストのページ数１００１と資料内の単語１００２欄は入力されている。類義単語欄１００３は、ステップＳ５０４において抽出した同義語辞書のデータである。このステップＳ５０４で抽出された類義単語をステップＳ５０５で抽出しておくことにより、プレゼンターの発声を音声認識により文字データ化した後の文字の一致不一致を短時間で判断する効果を有する。
【００６６】
発声回数カウントリスト１０００の発声カウンタ１００４欄は、プレゼンターが資料内の単語１００２や類義単語１００３を発声した回数をカウントした回数であり、プレゼンターの発声回数により、資料内の単語の強調表示の度合いを変えることができる。発声カウンタについては図１３、図１４で後述する。
【００６７】
また、発声回数カウントリスト１０００の最大強調度１００５欄は、資料内の単語１００２の文字の強調度を何段階設けるかを記憶している。この最大強調度の値を持つことにより、資料内の単語１００２が際限なく強調されるのを防ぐことができる。なお、最大強調度１００５を有する構成は本願発明の目的を達成する点では必須の構成ではない。図５のフローチャートの説明に戻る。
【００６８】
次に、図５のステップＳ５０６において、情報処理装置２００のＣＰＵ２０１は、プレゼンテーション資料内の画像に関連付けられた単語を抽出し、その単語の類義語を連想単語リストとしてリスト化し、ＲＡＭ２０２や外部メモリ２１１に記憶する。記憶する連想単語リストを図１１を参照して説明する。
【００６９】
図１１は、本願発明におけるプレゼンテーション資料に紐付く連想単語リストの一例を示す模式図である。
【００７０】
図１１の１１００の１１０１欄は、プレゼンテーション資料中の強調する画像が記載されているページ数であり、１１０２には、資料中の強調する画像が記憶されている。なお、図１１では、画像自体を記憶している構成になっているが、画像は別ファイルとして保存しておき、図１１の１１０２欄ではファイル名のみを記憶する形にしても良い。
【００７１】
連想単語欄１１０３の最初の太字で表示している単語（例では、１１０５）は、画像と紐付けられている単語（文字）として便宜的に表示している。続く１１０３欄の単語（１１０６や１１０７）は、ステップＳ５０４と同じ処理を行い、抽出した同義語辞書のデータである。同義語辞書で抽出された連想単語をステップＳ５０６で抽出しておくことにより、ステップＳ５０５と同じようにプレゼンターの発声を音声認識により文字データ化した後の文字の一致不一致を容易にする効果がある。
【００７２】
最大強調度１１０８欄は、資料内の図・画像１１０２の強調度を何段階設けるかを記憶している。この最大強調度の値を持つことにより、資料内の図・画像１１０２が際限なく強調されるのを防ぐことができる。なお、図１０の最大強調度１００５と同じように、最大強調度１１０８を有する構成は本願発明の目的を達成する点では必須ではない。図５のフローチャートの説明に戻る。
【００７３】
次に、図５のステップＳ５０７において、情報処理装置２００のＣＰＵ２０１は、ページ内での最大強調度を制限する処理を行う。たとえば、ステップＳ５０３で設定された強調度の積算（太字＋下線など）により、ステップＳ５０２で決定したそのページの最大強調度を超えてしまう場合に、その強調度の積算値を最大強調度に抑える処理や、複数ある強調文字の間の強調度の値を足してそれぞれの強調文字の強調度の割合により按分して最大強調度を超えないような処理を行う。ステップＳ５０７の例を、図１２を参照して説明する。
【００７４】
図１２の３ページ目の「ＸＹＺ」１２０１はステップＳ５０３の処理では、最大強調度が「６」と設定されている場合でも、３ページ目の強調度として「４」（１２０２）が定義されているので、「ＸＹＺ」の最大強調度は「４」（１２０３）と設定される。同様に、１ページ目や２ページ目の最大強調度は「０」（１２０３，１２０４）であるため、１ページ目の「ＸＹＺ」１２０５の強調度は「０」（１２０６、１２０７）であり、強調表示をしないことを意味する。図５のフローチャートの説明に戻る。
【００７５】
ステップＳ５０７において、ページ内の最大強調度を調整した後、ステップＳ５０８において、情報処理装置２００のＣＰＵ２０１は、強調度を解析しているページが最後のプレゼンテーションのページかどうか判断する。
【００７６】
強調度を解析しているページが最後のプレゼンテーションのページではない場合は、ステップＳ５０９へと処理を移行し、ステップＳ５０９において、情報処理装置２００のＣＰＵ２０１は、強調度を解析するページを次のページに変更する。その後、ステップＳ５０３の処理へと戻り、次のページの強調文字の決定処理を行う。
【００７７】
一方、ステップＳ５０８において、強調度を解析しているページが最後のプレゼンテーションのページである場合は、一連のプレゼンテーション資料の解析を終えて、図４のステップＳ４０３へと処理を移行する。
【００７８】
なお、図５のフローチャートの処理のステップＳ５０３以外の処理は必須の処理項目ではなく、どの処理を省略しても本願発明の目的を満たすことはできる。
【００７９】
次に、図６を参照して、プレゼンテーション中の強調文字を強調する処理（ステップＳ４０５）の流れを説明する。
【００８０】
図６は、本願発明における、情報処理装置２００のＣＰＵ２０１によって行われる、プレゼンテーション中の強調文字を強調する処理を示すフローチャートの一例である。この解析処理は、情報処理装置２００のＣＰＵ２０１が、図４のステップＳ４０５の処理に移行した際に開始される。
【００８１】
まず、ステップＳ６０１では、情報処理装置２００のＣＰＵ２０１は、図示しない設定手段により、事前にデフォルトで強調表示するか設定されているかの判断を行う（静的な強調の実施）。静的な強調の実施が設定されていると、ステップＳ６１１へと処理を移行し、ステップＳ６１１において、情報処理装置２００のＣＰＵ２０１は、プレゼンテーション中のページの強調文字を最大強調度で表示して、強調文字の表示処理を終え、図４のフローチャートのＳ４０６の処理へと遷移する。
【００８２】
一方、ステップＳ６０１において、事前に静的な強調の実施が設定されていない場合、次のステップＳ６０２へと処理を移行する。
【００８３】
次のステップＳ６０２において、情報処理装置２００のＣＰＵ２０１は、ディスプレイ装置２１０上に表示されたプレゼンテーション資料の強調文字部分もしくは画像部分がマウスのクリック操作を受け付けた場合は、次にステップＳ６１２へと処理を遷移し、クリック操作された強調文字部分もしくは画像部分を一段階、強調表示する。詳細は後述する。
【００８４】
一方、ステップＳ６０２において、強調文字部分もしくは画像部分がマウスのクリック操作を受け付けなかった場合は、ステップＳ６０３へと処理を移行する。
【００８５】
次に、ステップＳ６０３において、情報処理装置２００のＣＰＵ２０１は、マイク１００からの音声を取得し、プレゼンターが発話している音声を文字データ化できるかを判断する。プレゼンターの発話を文字データ化できない、すなわち、無言状態か雑音状態等の場合は、強調文字の表示処理を終え、図４のフローチャートのＳ４０６の処理へと遷移する。
【００８６】
一方、プレゼンターが発話している音声を文字データ化できると判断されると、次のステップＳ６０４へと処理を遷移する。
【００８７】
ステップＳ６０４では、情報処理装置２００のＣＰＵ２０１は、文字データ化できた音声の単語が、ステップＳ５０５で作成した現在表示されているプレゼンテーションのページの類義単語リストに含まれるかどうか判断する。文字データ化できた音声の単語が類義単語リストに含まれていない場合は、ステップＳ６０８へと処理を移行し、一方、文字データ化できた音声の単語が類義単語リストに含まれている場合は、ステップＳ６０５へと処理を移行する。
【００８８】
次に、ステップＳ６０５において、情報処理装置２００のＣＰＵ２０１は、ステップＳ６０４で類義単語リストがあると判断された資料内の単語１００２の発声カウンタの値１００４が最大強調度１００５より小さいかどうかを判断する。発声カウンタは次のステップＳ６０６を通るたびに増えるカウンタで、発声カウンタの値に比例して、プレゼンテーション資料中の強調文字の強調度合いを決める。具体例は図１３、図１４で後述する。
【００８９】
発声カウンタ値１００４が最大強調度以上であれば、たとえプレゼンターが類義単語を発話してもそれ以上強調処理をすることなく、ステップＳ６０８へと処理を移行するが、発声カウンタ値１００４が最大強調度より小さければ、資料内の単語１００２を強調表示するために、ステップＳ６０６及びステップＳ６０７の処理を行う。以下、ステップＳ６０６とステップＳ６０７の処理を図１０、図１３、図１４を参照しながら説明する。
【００９０】
次のステップＳ６０６において、情報処理装置２００のＣＰＵ２０１は、プレゼンターにより発話された類義単語もしくは資料内の単語１００２の発声カウンタ１００４をインクリメントし、発声カウンタを＋１する。たとえば、図１０のようなプレゼンテーション資料の４ページ目を開いている状態で、プレゼンターが「参院選」という単語を発声すると、発声カウンタ１００４の「参議院選挙」の欄１００６の発声カウンタが０であれば、１に増える。
【００９１】
次に、ステップＳ６０７において、情報処理装置２００のＣＰＵ２０１は、プレゼンターにより発話された類義単語１００３の資料内の単語、もしくは資料内の単語１００２自身を強調表示する。図１３を参照して資料内の単語１００２を強調表示する処理を説明する。
【００９２】
図１３は、本願発明におけるプレゼンテーション資料の表示処理の結果を示す模式図である。
【００９３】
図１３は、下方向に時間が経過する様子を示しており、１３００は、デフォルトのプレゼンテーション資料を示している。１３００のプレゼンテーション資料の中で、「ＸＹＺ」という文字が、太字で周りの文字よりも文字サイズが１２ポイントと２ポイント大きく表示されているため、ステップＳ５０３の処理により、図８を参照して、最大強調度が「４」と設定される。
【００９４】
次に、１３００が静的な強調を実施するか、そうではないかによって、プレゼンテーション資料の表示結果が異なる（ステップＳ６０１）。１３０１は、静的な強調を実施している表示結果（ステップＳ６０１でＹｅｓの結果）であり、「ＸＹＺ」の文字が、文字サイズで４ポイント大きい１６ポイントで表示されている（ステップＳ６１１）。静的な強調を実施とは、デフォルトで強調できる最大の強調効果で強調文字を表示させている例である。なお、本実施例では、強調表示とは文字サイズを大きくする例で記載しているが、文字サイズを変えるほかに、文字の色やフォントの変更や、文字の点滅などによる強調効果でも良い。
【００９５】
１３００が静的な強調を実施しない場合（ステップＳ６０１でＮｏ）は、１３０２のプレゼンテーション資料のような結果を表示する。１３０２は、プレゼンターが「ＸＹＺ」という言葉を１回発声した場合の表示結果である。「ＸＹＺ」という言葉を１回発声した場合、図１０のような発声回数カウントリスト１０００の発声カウンタ欄１００４を「１」に変更し（ステップＳ６０６）、文字サイズを１ポイント大きい１３ポイントにして強調表示している（ステップＳ６０７）。
【００９６】
次に、更にプレゼンターが「ＸＹＺ」という言葉を１回発声すると、発声カウンタ欄１００４をインクリメントして「２」に変更し（ステップＳ６０６）、文字サイズを更に１ポイント大きい１４ポイントにして強調表示し（ステップＳ６０７）、１３０３のような表示画面になる。
【００９７】
更にプレゼンターが「ＸＹＺ」という言葉を２回発声し、トータルで４回発声すると、発声カウンタ欄１００４は「４」に変更され（ステップＳ６０６）、文字サイズは当初より４ポイント大きい１６ポイントで強調表示され、１３０４のような表示画面になる。
【００９８】
１３０４の状態から更にプレゼンターが「ＸＹＺ」という言葉を発声すると、トータルで５回発声することになるが、発声カウンタが最大強調度「４」を超えることになる（ステップＳ６０５の条件分岐）ので、発声カウンタは「４」のままでさらなる強調表示は行われない（ステップＳ６０８の処理へ移行）。
【００９９】
もう一例、図１４を参照して資料内の単語１００２を強調表示する処理を説明する。
【０１００】
図１４は、本願発明におけるプレゼンテーション資料の表示処理の結果を示す模式図である。
【０１０１】
図１４は、下方向に時間が経過する様子を示しており、１４００は、デフォルトのプレゼンテーション資料を示している。１４００のプレゼンテーション資料の中で、「○○」、「△△」、「□□」という文字は文字サイズが８ポイントの箇条書きであり、太字や斜体、下線などのフォントにより、図８を参照して、順に最大強調度が「５」，「６」，「７」と設定される（ステップＳ５０３）。また、１４００の右側には周りに余白を持つ「○×△」の文字が表示されており、表示されている文字サイズは１０ポイント、最大強調度は「１０」と設定される（ステップＳ５０３）。
【０１０２】
次に、１４００が静的な強調を実施するか、そうではないかによって、プレゼンテーション資料の表示結果が異なる（ステップＳ６０１）。１４０１は、静的な強調を実施している表示結果（ステップＳ６０１でＹｅｓの結果）であり、デフォルトで強調できる最大の強調効果で強調文字を表示させている例である。「○○」、「△△」、「□□」という文字それぞれが、１３、１４、１５ポイントの文字サイズで表示され、「○×△」の文字は２０ポイントで表示されている（ステップＳ６１１）。
【０１０３】
１４００が静的な強調を実施しない場合（ステップＳ６０１でＮｏ）は、１４０２のプレゼンテーション資料のような結果を表示する。１４０２は、プレゼンターが「○○」、「△△」、「□□」、「○×△」という言葉を１回ずつ発声した場合の表示結果である。それぞれの言葉を１回ずつ発生した場合、図１０のような発声回数カウントリスト１０００の発声カウンタ欄１００４をそれぞれ「１」に変更し（ステップＳ６０６）、強調文字の文字サイズを１ポイント大きいサイズにして強調表示する（ステップＳ６０７）。
【０１０４】
次に、更にプレゼンターが「○○」を４回、「△△」を１回、「□□」を３回、「○×△」を３回それぞれ発声した例が１４０３の表示画面である。
【０１０５】
更にプレゼンターが「○○」を２回、「△△」を１回、「□□」を３回、「○×△」を４回それぞれ発声した例が１４０４の表示画面である。「○○」の強調文字は、最大強調度「５」を越えているため、８ポイント＋５強調度の１３ポイント以上には文字を強調しない。
【０１０６】
以上により、プレゼンターによる強調文字（単語）の強調表示処理の例の説明を終え、図６のフローチャートの説明に戻る。
【０１０７】
図６において、ステップＳ６０６とステップＳ６０７により、上述のように発話された単語（強調文字）を強調し、ステップＳ６０８へと処理を移行する。
【０１０８】
次に、ステップＳ６０８において、情報処理装置２００のＣＰＵ２０１は、ステップＳ６０３で文字データ化できた音声の単語が、ステップＳ５０６で作成した現在表示されているプレゼンテーションのページの連想単語リストに含まれるかどうか判断する。文字データ化できた音声の単語が連想単語リストに含まれていない場合は、図６のフローチャートの処理を終了し、一方、文字データ化できた音声の単語が連想単語リストに含まれている場合は、ステップＳ６０９へと処理を移行する。
【０１０９】
次に、ステップＳ６０９において、情報処理装置２００のＣＰＵ２０１は、ステップＳ６０８で連想単語リストに存在すると判断された資料内の図・画像１１０２の発声カウンタの値１１０４をインクリメントする。なお、類義単語リストにおける発声回数カウントリストと同様に連想単語リストにおいても発声回数をカウントし、最大強調度１１０８を超えると発声カウンタをインクリメントせず、資料内の図・画像１１０２の強調処理を止めることができても良い。
【０１１０】
発声カウンタはステップＳ６０９を通るたびに増えるカウンタで、発声カウンタの値に比例して、プレゼンテーション資料中の強調文字の強調度合いを決める。
【０１１１】
次に、ステップＳ６１０において、情報処理装置２００のＣＰＵ２０１は、プレゼンターにより発話された連想単語に該当する資料内の図・画像１１０２を強調表示する。具体的には、資料内の図・画像１１０２を拡大表示したり、点滅させたりすることで強調表示する。
【０１１２】
図１１のような連想単語リストを有するプレゼンテーション資料を例として、ステップＳ６０８からステップＳ６１０の処理を説明する。
【０１１３】
図１１のような連想単語リストを有するプレゼンテーション資料の４ページ目を開示している際に、プレゼンターが「国会」という言葉を発声すると、その言葉と一致する連想単語１１０３の１１０６の欄「国会」を検索する（ステップＳ６０８）。１１０６欄の連想単語が発声されたので、関連する画像として１１０９の画像の発声カウンタ１１１０がインクリメント（ステップＳ６０９）され、発声カウンタのレベルで画像１１０９を拡大表示する。具体的には、たとえば、発声カウンタ数×１０％の大きさで画像１１０９を拡大するなどの処理を行う（ステップＳ６１０）ことにより、強調表示を行う。
【０１１４】
以上、ステップＳ６０３からステップＳ６１０の処理により、プレゼンターの発声によって強調表示を行う処理を実現する。
【０１１５】
一方、ステップＳ６０２において、プレゼンテーション資料の強調文字部分もしくは画像部分がマウスのクリック操作を受け付けた場合は、次にステップＳ６１２へと処理を遷移し、クリック操作された強調文字部分もしくは画像部分を一段階、強調表示する。以下に、マウスクリック操作を受け付けた際の処理を説明する。
【０１１６】
通常は、プレゼンテーション資料において、マウスクリック操作を受け付けると、次のスライドに遷移する処理になる場合が多いが、本願発明では、強調文字部分もしくは画像部分のマウスクリック操作を受け付けると、強調文字部分もしくは画像部分を強調表示する処理を行い、強調文字部分もしくは画像部分以外がマウスクリック操作を受け付けると、次のスライドに遷移する処理を実行する。以下は、前者の強調文字部分もしくは画像部分のマウスクリック操作を受け付けた処理に関する説明である。
【０１１７】
ステップＳ６１２において、情報処理装置２００のＣＰＵ２０１は、マウスのクリック操作を受け付けた強調文字部分、もしくは画像部分に該当する発声回数カウントリストの発声カウンタをインクリメントし、次のステップＳ６１３において、マウスクリック操作を受け付けた強調文字部分もしくは画像部分を強調表示させる。なお、強調表示の方法はステップＳ６０７やステップＳ６１０と同じように、文字のサイズを１ポイントずつ大きくするもしくは画像を１０％ずつ大きくするなどの手法を応用可能である。
【０１１８】
なお、ステップＳ６１２の処理の際に、ステップＳ５０７で決定された最大強調度を発声カウンタが超える場合は、それ以上は強調表示させないように制御しても良い。
【０１１９】
本願発明では、上記のように構成することで、ユーザの発話やマウス操作によりプレゼンテーション中に強調する度合いを変更することを可能とする効果を有する。
【０１２０】
また、強調する度合いを最大強調度により制限することにより、ある程度以上強調する度合いが大きくならないように制御することができる効果をも有する。
【０１２１】
本発明は、例えば、システム、装置、方法、プログラム若しくは記憶媒体等としての実
【０１２２】
施形態も可能であり、具体的には、複数の機器から構成されるシステムに適用してもよいし、また、１つの機器からなる装置に適用してもよい。
【０１２３】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１２４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１２５】
その場合、プログラムの機能を有していれば、オブジェクトコード、インタプリタにより実行されるプログラム、ＯＳに供給するスクリプトデータ等の形態であってもよい。
【０１２６】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１２７】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１２８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１３０】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１３１】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１３２】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１３３】
１００  マイク
２００  情報処理装置
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信インタフェース（Ｉ／Ｆ）コントローラ
２０９  入力装置
２１０  ディスプレイ装置
２１１  外部メモリ
３００  プロジェクタ
４００  スクリーン
【図１】
2015064457.tif 000003
【図２】
2015064457.tif 000004
【図３】
2015064457.tif 000005
【図４】
2015064457.tif 000006
【図５】
2015064457.tif 000007
【図６】
2015064457.tif 000008
【図７】
2015064457.tif 000009
【図８】
2015064457.tif 000010
【図９】
2015064457.tif 000011
【図１０】
2015064457.tif 000012
【図１１】
2015064457.tif 000013
【図１２】
2015064457.tif 000014
【図１３】
2015064457.tif 000015
【図１４】
2015064457.tif 000016